(57)【要約】【課題】チルティング部材とこれを有するチルティングアクチュエータが提供される。【解決手段】本発明は所定の内部空間を有する固定体、上記固定体に回転可能に支持される軸を両端に備え、上部面に映像反射体を備えて上記軸を中心にチルティング運動をする反射体ホルダー、及び上記反射体ホルダーに連結されて磁場と電場の相互作用により垂直方向の外力を上記反射体ホルダーに印加するチルティング駆動部、を含む。本発明によれば、映像反射体を騷音及び震動発生なしにチルティング駆動させることが可能であり、製造原価を節減することが可能であり、単品に対する性能差がない均一なチルティング特性を得ることができる。【選択図】図４
2006235582.tif 000002
【特許請求の範囲】
【請求項１】
光を反射する映像反射体、
所定の内部空間を有する固定体、
上記映像反射体が上部面に支持され、上記固定体に回転可能に支持される軸を備え上記軸を中心にチルティング運動をする反射体ホルダーを含むチルティング部材。
【請求項２】
上記映像反射体は一面または両面に反射物質が塗布される板部材であることを特徴とする請求項１に記載のチルティング部材。
【請求項３】
上記固定体は上記軸が上げられる軸溝を陥没形成した軸支持部を具備することを特徴とする請求項１に記載のチルティング部材。
【請求項４】
上記軸溝は上記軸の外部面と面接触されるよう半円断面状で具備されることを特徴とする請求項３に記載のチルティング部材。
【請求項５】
上記軸溝は上記軸の外部面と線接触されるようＶ断面状で具備されることを特徴とする請求項３に記載のチルティング部材。
【請求項６】
上記軸は上記軸支持部と対応する反射体ホルダーの左右両端に一体で具備される軸部材であることを特徴とする請求項１に記載のチルティング部材。
【請求項７】
上記軸は上記軸支持部と対応する反射体ホルダーの左右両端に形成された軸孔に組み立てされる軸部材であることを特徴とする請求項１に記載のチルティング部材。
【請求項８】
所定の内部空間を有する固定体、
上記固定体に回転可能に支持される軸を両端に備え、上部面に映像反射体を備えて上記軸を中心にチルティング運動をする反射体ホルダー、及び
上記反射体ホルダーに連結されて磁場と電場の相互作用によって垂直方向の外力を上記反射体ホルダーに印加するチルティング駆動部、を含むチルティングアクチュエータ。
【請求項９】
上記映像反射体は一面または両面に反射物質が塗布された板部材であることを特徴とする請求項８に記載のチルティングアクチュエータ。
【請求項１０】
上記固定体は互いに向い合う内部面に一対の第１内部端差を突出形成し、上記第１内部端差に上記軸が回転可能に安着される軸溝を有する軸支持部を具備することを特徴とする請求項８に記載のチルティングアクチュエータ。
【請求項１１】
上記軸溝は上記軸の外部面と面接触されるよう半円断面状で具備されることを特徴とする請求項１０に記載のチルティングアクチュエータ。
【請求項１２】
上記軸溝は上記軸の外部面と線接触されるようＶ断面状で具備されることを特徴とする請求項１０に記載のチルティングアクチュエータ。
【請求項１３】
上記軸は上記軸支持部と対応する反射体ホルダーの左右両端に一体で具備される軸部材であることを特徴とする請求項８に記載のチルティングアクチュエータ。
【請求項１４】
上記軸は上記軸支持部と対応する反射体ホルダーの左右両端に形成された軸孔に組み立てされる軸部材であることを特徴とする請求項８に記載のチルティングアクチュエータ。
【請求項１５】
上記反射体ホルダーは金属材を素材にして成形される成形物であることを特徴とする請求項８に記載のチルティングアクチュエータ。
【請求項１６】
上記反射体ホルダーは樹脂材を素材にして成形される成形物であることを特徴とする請求項８に記載のチルティングアクチュエータ。
【請求項１７】
上記反射体ホルダーは上記映像反射体の水平移動を防止しながら上記映像反射体との間に所定の間隔を維持するよう反射体支持部を上部面に複数個具備することを特徴とする請求項８に記載のチルティングアクチュエータ。
【請求項１８】
上記軸の上部には上記軸の回転を許可しつつ、上部離脱を防止する軸離脱防止部を具備することを特徴とする請求項８に記載のチルティングアクチュエータ。
【請求項１９】
上記軸離脱防止部は上記軸の外部面に接するように配置される固定蓋板と、上記固定蓋板の左右両端にそれぞれ形成された一対の貫通孔を通して上記固定体の締結孔に締結される締結手段を備えて構成することを特徴とする請求項１８に記載のチルティングアクチュエータ。
【請求項２０】
上記一対の貫通孔のいずれか一つは長穴形状で具備されることを特徴とする請求項１８に記載のチルティングアクチュエータ。
【請求項２１】
上記反射体ホルダーと固定体の間には上記軸の軸中心線と対応する反射体ホルダーの下部面に上端が接して支持され、上記固定体の底面に下端が固定される少なくとも一つのホルダーシャフトをさらに含むことを特徴とする請求項８に記載のチルティングアクチュエータ。
【請求項２２】
上記ホルダーシャフトは上記固定体のシャフト孔に下端が組み立てされる円筒部材と、上記反射体ホルダーの下部面に弾力的に接触するよう上記円筒部材の上端に具備される接触ボールを備えて構成することを特徴とする請求項２１に記載のチルティングアクチュエータ。
【請求項２３】
上記円筒部材は上記シャフト孔にネジ結合されることを特徴とする請求項２２に記載のチルティングアクチュエータ。
【請求項２４】
上記ホルダーシャフトの上端に接する反射体ホルダーの下部面には上記軸中心線に沿って突き出される下部突出部を具備することを特徴とする請求項２２に記載のチルティングアクチュエータ。
【請求項２５】
上記下部突出部には上記ホルダーシャフトの上端と点接触される接触溝を具備することを特徴とする請求項２４に記載のチルティングアクチュエータ。
【請求項２６】
上記反射体ホルダーと上記固定体の間には上記映像反射体の水平度を調整する水平調整部をさらに含むことを特徴とする請求項８に記載のチルティングアクチュエータ。
【請求項２７】
上記水平調整部は上記反射体ホルダーの下部面に本体中央が固定され、上記固定体の第２内部段差に形成された締結孔と対応する両側端に側傍突出部を具備する板スプリング、並びに上記側傍突出部に形成された調節孔を介して上記締結孔に締結される調節部材を具備することを特徴と請求項２６に記載のチルティングアクチュエータ。
【請求項２８】
上記調節部材には上記側傍突出部を上方に弾力支持するコイルスプリングを具備することを特徴とする請求項２７に記載のチルティングアクチュエータ。
【請求項２９】
上記チルティング駆動部は上記固定体の底面に設置される少なくとも一つの磁界部と、上記反射体ホルダーに連結される少なくとも一つのコイル部を含み上記コイル部は上記磁界部内に重畳配置されることを特徴とする請求項８に記載のチルティングアクチュエータ。
【請求項３０】
上記磁界部は下部端が上記固定体の底面に形成された安着溝に位置固定され、上部は開放され下部は密閉されたヨークと、上記ヨークの内部空間に配置されて一定強さの磁場を発生させる磁石部材を含むことを特徴とする請求項２９に記載のチルティングアクチュエータ。
【請求項３１】
上記磁石部材は上記ヨークの底面に環状で一定高さ突出形成された突出段差の上部面に安着されることを特徴とする請求項３０に記載のチルティングアクチュエータ。
【請求項３２】
上記ヨークには上記磁石部材の上部面に安着される上部ヨークを具備することを特徴とする請求項３０に記載のチルティングアクチュエータ。
【請求項３３】
上記コイル部は反射体ホルダーに上端が連結されて上記磁界部内に挿入配置される一定長さのコイル軸と、上記コイル軸に一定回数捲線されるコイルを含むことを特徴とする請求項２９に記載のチルティングアクチュエータ。
【請求項３４】
上記コイル軸は上記ヨークの長さよりは短く、上記磁石部材の内径大きさよりは小さい外径を備えて上記磁界部の中心に配置されることを特徴とする請求項３３に記載のチルティングアクチュエータ。
【発明の詳細な説明】
【技術分野】
【０００１】
本発明はＤＬＰ方式を採用する映像機器に具備される映像反射体をチルティングさせるアクチュエータに関するもので、電場と磁場間の相互作用によって発生される外力により映像反射体を騷音及び震動発生なしにチルティング駆動させることが可能で、製造原価を節減することが可能で、単品に対する性能差がない均一なチルティング特性を有するＤＬＰ映像器の映像反射体チルティングアクチュエータに関する。
【背景技術】
【０００２】
一般的にディーエルピー(ＤＬＰ: Ｄｉｇｉｔａｌ  Ｌｉｇｈｔ  Ｐｒｏｃｅｓｓｉｎｇ)映像機器は一般エルシディー(ＬＣＤ:Ｌｉｑｕｉｄ  Ｃｒｙｓｔａｌ  Ｄｉｓｐｌａｙ)映像機器の短所であるピクセルのモザイク現象を取り除くことにより、原色再現能力を向上させたもので、ビジネス、教育及び広告のようなプレゼンテーションや、または映画のようなエンターテイメント等の分野で高輝度且つ鮮明な大型カラー映像を得られるようになる。
【０００３】
このようなディーエルピー映像機器は図１２に示すように、光源であるランプ１０と、上記ランプ１０から発光されたビームを集束して照査する集光レンズ２０と、上記集光レンズ２０で集束された白色光をレッド(Ｒ)、グリーン(Ｇ)及びブルー(Ｂ)カラーで色を分離し各フレーム毎に１/３ずつ照明するカラーフィル３０と、上記カラーフィル３０で発光する色相別発散光を平行に照査する視準レンズ４０と、上記視準レンズ４０で執束された色相別光の画素別反射角を調節して映像を形成するデジタル反射部(ＤＭＤ：Ｄｉｇｉｔａｌ  Ｍｉｒｒｏｒ  Ｄｅｖｉｃｅ)５０と、上記デジタル反射部５０によって形成された映像をスクリーン(Ｓ)に大画面で投射する投射レンズ６０を含んで構成される。
【０００４】
上記デジタル反射部５０にはシリコンウェーハ上に一つのピクセル構造を担うよう微細な大きさを有する複数のマイクロ反射体(図示せず)を二次元的に具備し、上記マイクロ反射体は制御機によってデジタル反射部５０に提供されるデジタル情報に応じて個別的大変早い速度でチルティング運動されながら、入射された光の経路を２種状態(オン(ｏｎ)/（ｏｆｆ）)で切り換えさせるようになる。
【０００５】
そして、上記デジタル反射部５０に個別的にそれぞれ制御されたピクセルは投射レンズを通して拡大されスクリーン(Ｓ)に得ようとする大画面の映像で表示されるのである。
【０００６】
一方、ＤＬＰ方式を採用した映像機器は小さな大きさの原画像を拡大投射して大画面で結像するもので、原画像に比べて画質が劣ってしまう問題点があり、早い映像や視聴者の視野が早く動く場合、例えば白地に黒いストライプのようなコントラス比が大きい所において虹色相が目立ったり、視野の早い移動により各画素間の格子柄が著しく認識されスクリーンに結像される大画面の画質が低下される問題点があった。
【０００７】
これにより、上記スクリーンに結像される画面の解像度を高めるために、上記デジタル反射部を経てスクリーン側に入射される光の角度を微細に調整して錯視現象を引き起こすように光を反射させる映像反射体を微細にチルティングさせるチルティングアクチュエータをデジタル反射部と投射レンズとの間に具備した。
【０００８】
しかし、上記映像反射体をチルティングさせるアクチュエータの駆動手段でピエゾ（ＰＺＴ）を採用することにより、上記ピエゾに電圧を印加して映像反射体を所定角度チルティングさせることが知られているが、チルティング駆動が成される構造上チルティング駆動手段であるピエゾ素子とチルティング対象物が互いに接触する度に騷音及び震動が激しく発生される問題点があった。
【０００９】
また、上記チルティングアクチュエータに具備されるピエゾの製品単価が高価で、ピエゾ単品間の特性差があるので、完製品の製造原価を上昇させ、大量生産の際、チィルティングアクチュエータ間の性能差が生じられセット業者の不満をもたらした。
【００１０】
これと共に、ピエゾの性能改善のためのピエゾの設計変更が難しく、これに所要する作業期間が長くかかるので、チルティングアクチュエータの性能をアップグレードするのに長時間が必要となりセット業者のさまざまな要求に速かに対応することができなかった。
【００１１】
そして、上記チルティングアクチュエータは上記映像反射体に反射する光を所望の方向に転換させるために上記映像反射体を６０Ｈｚの周期で±１０度内外のチルティング角度でチルティングさせるべきであるが、この際上記映像反射体の平面度は１．２μｍ以内で精密に管理しなければならない。
【００１２】
しかし、上記チルティングアクチュエータと映像反射体を組み立て完成した後、上記映像反射体の平面度を１．２μｍ以内で精密に調節することが難しく、その調節作業に非常に困難な問題点があった。
【発明の開示】
【発明が解決しようとする課題】
【００１３】
従って、本発明は上記のような従来の問題点を解消するためのもので、その目的は映像反射体のチルティング駆動を騷音及び震動発生なしに円滑に行なうことができ、製造原価を節減することができるＤＬＰ映像機器の映像反射体チルティングアクチュエータを提供することにある。
【００１４】
本発明の他の目的は、性能改善作業を簡便に行なうことができ、製品間の性能差なしに均一なチルティング特性を有するＤＬＰ映像機器の映像反射体チルティングアクチュエータを提供することにある。
【００１５】
本発明のさらに異なる目的は、スクリーンに結像される光の経路を転換させるようチルティングされる映像反射体の平面度を精密且つ簡便に調節できるＤＬＰ映像機器の映像反射体チルティングアクチュエータを提供することにある。
【課題を解決するための手段】
【００１６】
上記のような目的を果たすための技術的な構成として、本発明は、光を反射する映像反射体、所定の内部空間を有する固定体、上記映像反射体が上部面に支持され、上記固定体に回転可能に支持される軸を備えて上記軸を中心にチルティング運動をする反射体ホルダーを含むチルティング部材を提供する。
【００１７】
好ましくは、上記映像反射体は一面または両面に反射物質が塗布された板部材である。
【００１８】
好ましくは、上記固定体は上記軸が上げられる軸溝を陥没形成した軸支持部を具備する。
【００１９】
より好ましくは、上記軸溝は上記軸の外部面と面接触されるよう半円断面状で具備される。
【００２０】
より好ましくは、上記軸溝は上記軸溝の外部面と線接触されるようＶ断面状で具備される。
【００２１】
好ましくは、上記軸は上記軸支持部と対応する反射体ホルダーの左右両端に一体で具備される軸部材である。
【００２２】
好ましくは、上記軸は上記軸支持部と対応する反射体ホルダーの左右両端に形成された軸孔に組み立てされる軸部材である。
【００２３】
また、本発明は、所定の内部空間を有する固定体、上記固定体に回転可能に支持される軸を両端に備え、上部面に映像反射体を備えて上記軸を中心にチルティング運動をする反射体ホルダー、及び上記反射体ホルダーに連結されて磁場と電場の相互作用によって垂直方向の外力を上記反射体ホルダーに印加するチルティング駆動部、を含むチルティングアクチュエータを提供する。
【００２４】
好ましくは、上記映像反射体は一面または両面に反射物質が塗布された板部材である。
【００２５】
好ましくは、上記固定体は互いに向い合う内部面に一対の第１内部段差を突出形成し、上記第１内部段差に上記軸が回転可能に安着される軸溝を有する軸支持部を具備する。
【００２６】
より好ましくは、上記軸溝は上記軸の外部面と面接触されるよう半円断面状で具備される。
【００２７】
より好ましくは、上記軸溝は上記軸の外部面と線接触されるようＶ断面状で具備される。
【００２８】
好ましくは、上記軸は上記軸支持部と対応する反射体ホルダーの左右両端に一体で具備される軸部材である。
【００２９】
好ましくは、上記軸は上記軸支持部と対応する反射体ホルダーの左右両端に形成された軸孔に組み立てされる軸部材である。
【００３０】
好ましくは、上記反射体ホルダーは金属材を素材にして成形される成形物である。
【００３１】
好ましくは、上記反射体ホルダーは樹脂剤を素材にして成形される成形物である。
【００３２】
好ましくは、上記反射体ホルダーは上記映像反射体の水平移動を防止しながら上記映像反射体との間に所定の間隔を維持するよう反射体支持部を上部面に複数個具備する。
【００３３】
好ましくは、上記軸の上部には上記軸の回転を許可しつつ、上部離脱を防止する軸離脱防止部を具備する。
【００３４】
より好ましくは、上記軸離脱防止部は上記軸の外部面に接するよう配置される固定蓋板と、上記固定蓋板の左右両端にそれぞれ形成された一対の貫通孔を通して上記固定体の締結孔に締結される締結手段とを備えて構成する。
【００３５】
より好ましくは、上記一対の貫通孔のいずれか一つは長穴形状で具備される。
【００３６】
好ましくは、上記反射体ホルダーと固定体の間には上記軸の軸中心線と対応する反射体ホルダーの下部面に上端が接して支持され、上記固定体の底面に下端が固定される少なくとも一つのホルダーシャフトをさらに含む。
【００３７】
より好ましくは、上記ホルダーシャフトは上記固定体のシャフト孔に下端が組み立てされる円筒部材と、上記反射体ホルダーの下部面に弾力的に接触するよう上記円筒部材の上端に具備される接触ボールを備えて構成する。
【００３８】
より好ましくは、上記円筒部材は上記シャフト孔にネジ結合される。
【００３９】
より好ましくは、上記ホルダーシャフトの上端と接する反射体ホルダーの下部面には上記軸のチルティング中心線に沿って突き出される下部突出部を具備する。
【００４０】
より好ましくは、上記下部突出部には上記ホルダーシャフトの上端と点接触される接触溝を具備する。
【００４１】
好ましくは、上記反射体ホルダーと上記固定体の間には上記映像反射体の水平度を調整する水平調整部をさらに含む。
【００４２】
より好ましくは、上記水平調整部は上記反射体ホルダーの下部面に本体中央が固定され、上記固定体の第２内部段差に形成された締結孔と対応する両側端に側傍突出部を具備する板スプリング及び上記側傍突出部に形成された調節孔を通して上記締結孔に締結される調節部材を具備する。
【００４３】
より好ましくは、上記調節部材には上記側傍突出部を上方に弾力支持するコイルスプリングを具備する。
【００４４】
好ましくは、上記チルティング駆動部は上記固定体の底面に設けられる少なくとも一つの磁界部と、上記反射体ホルダーに連結される少なくとも一つのコイル部を含み上記コイル部は上記磁界部内に重畳配置される。
【００４５】
好ましくは、上記磁界部は下部端が上記固定体の底面に形成された安着溝に位置固定され、上部は開放され下部は密閉されたヨークと、上記ヨークの内部空間に配置されて一定強さの磁場を発生させる磁石部材を含む。
【００４６】
より好ましくは、上記磁石部材は上記ヨークの底面に環状で一定高さ突出形成された突出段差の上部面に安着される。
【００４７】
より好ましくは、上記ヨークには上記磁石部材の上部面に安着される上部ヨークを具備する。
【００４８】
好ましくは、上記コイル部は反射体ホルダーに上端が連結されて上記磁界部内に挿入配置される一定長さのコイル軸と、上記コイル軸に一定回数捲線されるコイルを含む。
【００４９】
より好ましくは、上記コイル軸は上記ヨークの長さよりは短く、上記磁石部材の内径大きさよりは小さな外径を備えて上記磁界部の中心に配置される。
【発明の効果】
【００５０】
本発明によれば、反射体ホルダーと固定体の間に磁界部とコイル部を具備することにより、磁界部の磁場とコイル部の電場間の相互作用によって反射体ホルダー上に搭載された映像反射体を繰り返してチルティング駆動させることが可能となるので、従来のピエゾによるチルティング駆動に比べて騷音及び震動発生がなく、映像反射体のチルティング駆動をより円滑に行なうことができ、製造原価を節減することができる。
【００５１】
また、コイル部に印加される電流の強さを調節して反射体のチルティング程度を簡便に調節できるので、アクチュエータの性能を改善する作業をより簡便に行なうことができ、大量生産されるアクチュエータ間の性能差がない均一なチルティング特性を得ることができる。
【００５２】
そして、スクリーンに結像される光の経路を転換させるようチルティングされる映像反射体の水平度を精密且つ簡便に調節できるので、優れた品質の画質が得られる。
【発明を実施するための最良の形態】
【００５３】
以下、添付された図面に応じて本発明をより詳しく説明すると、次の通りである。
【００５４】
図１は本発明によるチルティング部材を示す分解斜視図であり、図２は本発明によるチルティングアクチュエータを示す全体斜視図であり、図３は本発明によるチルティングアクチュエータの固定体のみを部分切開して下部からみた斜視図であり、図４は本発明によるチルティングアクチュエータの固定体のみを部分切開して上部からみた斜視図である。
【００５５】
本発明のチルティングアクチュエータ１００はデジタル反射部５０と投射レンズ６０の間の光経路に配置されて映像反射体(Ｍ)を繰り返してチルティングさせることにより、スクリーン(Ｓ)に実現される映像を反復的に互いに重なり合って借視現象を引き起こし可視解像度を高めることが可能なもので、これは固定体１１０、反射体ホルダー１２０、ホルダーシャフト１３０、チルティング駆動部１４０及び電源供給部１５０などを含んで構成される。
【００５６】
上記映像反射体(Ｍ)が搭載されるチルティング部材１００ａは図１に示すように、固定体１１０と反射体ホルダー１２０から構成されるが、上記固定体１１０は上部が開放された四角枠形状の開口部１１１を形成し、下部面は密閉されて一定大きさの内部空間を有する固定構造物である。
【００５７】
このような固定体１１０の内部面には、上記反射体ホルダー１２０を旋回可能に安着できるよう互いに向い合う第１内部段差１１２を突き出して具備し、上記第１内部段差１１２の上部面には軸支持部１１３を突出形成し、上記軸支持部１１３の上部面には上記反射体ホルダー１２０の水平軸１２４が安着される軸溝１１４を形成する。
【００５８】
この際、上記軸溝１１４は円形断面状の水平軸１２４の外部面と面接触されるよう半円断面状の溝で構成されることもできるが、これに限定されず、上記円形断面状の水平軸１２４の外部面と線接触されるようＶ断面状の溝で構成されチルティング時の接触摩擦を最小化させることができる。
【００５９】
そして、上記固定体１１０の底面には上記ホルダーシャフト１３０が組み立てされる一対のシャフト孔１１６を左右対称構造で貫通形成し、上記チルティング駆動部１４０の磁界部１４０ａが安着され固定される一対の安着溝１１７を左右対称構造で具備する。
【００６０】
この際、上記一対のシャフト孔１１６の中心が互いに連結される仮想線と上記一対の安着溝１１７の中心が互いに連結される仮想線は互いに直角で交差される。
【００６１】
そして、上記反射体ホルダー１２０は図１と図６ａ、ｂ、ｃに示すように、四角板状の映像反射体(Ｍ)が上部面に搭載される四角板状のプレート部材で構成され、これは金属材を素材にして成形される成形物であるか、樹脂剤を素材にして成形される成形物であることも有り得る。
【００６２】
このような反射体ホルダー１２０は上記映像反射体(Ｍ)の左右移動を防止しながら上記映像反射体(Ｍ)の底面と上部面の間に一定間隔を維持するよう'└'断面状の反射体支持部１２１を上部面に複数個具備する。
【００６３】
上記複数個の反射体支持部１２１は、反射体ホルダー１２０の本体中心を基準にして９０度の間隔を置いて配置される。
【００６４】
そこで、上記反射体支持部１２１上に上げられる映像反射体(Ｍ)は図示したように、上記反射体支持部１２１の上部面に塗布されるボンディング材によってボンディング接着されて固定されることもできるが、これに限定されるものではない。
【００６５】
すなわち、上記映像反射体(Ｍ)は全面が開放された四角枠形状の反射体カバー(図示せず)を上記反射体ホルダー１２０上部に組み立てて上記反射体ホルダー１２０と反射体カバーの間に位置固定され得る。
【００６６】
そして、上記固定体１１０の軸溝１１４と対応する上記反射体ホルダー１２０の左右両端には一定長さの水平軸１２４を水平方向に延長形成したり、一定深さの軸孔１２２を水平方向に形成しこれに一定長さの水平軸１２４の一端を挿入して固定することができ、このような水平軸１２４の他端は上記軸溝１１４の上部面に安着される。
【００６７】
この際、上記水平軸１２４の上部には図２乃至図４に示すように、上記軸溝１１４に安着された水平軸１２４の回転を許可しつつ上部離脱を防止する軸離脱防止部１２５を具備する。
【００６８】
このような軸離脱防止部１２５は上記水平軸１２４の外部面と接するよう上部に配置される固定蓋板１２５ａと、上記固定蓋板１２５ａの左右両端にそれぞれ形成された一対の貫通孔１２５ｃを通して挿入されて上記軸溝１１４の左右両側に形成された締結孔１１５に締結される締結手段１２５ｂを備えて構成する。
【００６９】
ここで、上記固定蓋板１２５ａの左右両端にそれぞれ形成される一対の貫通孔１２５ｃのいずれか一つは上記締結手段１２５ｂと締結孔１１５の間の締結作業をより円滑に行えるよう長穴形状で具備されることが好ましい。
【００７０】
そして、上記反射体ホルダー１２０の上部面には上記コイル部１４０ｂを構成するコイル軸１１４の上端が固定されるコイル軸固定孔１２３を上記水平軸１２４が配置されるチルティング中心線を基準にして左右対称構造で貫通して具備する。
【００７１】
一方、上記反射体ホルダー１２０の下部面には上記水平軸１２４が通過するチルティング中心線に沿って下向き突き出される下部突出部１２６を具備し、上記下部突出部１２６には上記ホルダーシャフト１３０の上端が接する接触溝１２７を具備し、上記接触溝１２７の内周面と上記ホルダーシャフト１３０の上端は反射体ホルダー１２０のチルティングの時、摩擦力による動力損失を最小化させることができるよう点接触されることが好ましい。
【００７２】
上記ホルダーシャフト１３０は図３と４及び図７に示すように、上記固定体１１０の下部面に貫通形成されたシャフト孔１１６に下端が組み立てされて上記反射体ホルダー１２０の下部突出部１２６下部面に形成された接触溝１２７に上端が接して支持される一対の支持構造物である。
【００７３】
ここで、上記ホルダーシャフト１３０は上記固定体１１０に下端が組み立てされる円筒部材１３１と、上記反射体ホルダー１２０の下部面に弾力的に接触するよう上記円筒部材１３１の上端に具備される接触ボール１３２から構成され、上記円筒部材１３１の内部には上記接触ボール１３２を上方に弾力支持するスプリング部材(図示せず)が内蔵されている。
【００７４】
そして、上記ホルダーシャフト１３０は上記反射体ホルダー１２０を上方で弾力支持する外力を調節できるよう上記固定体１１０の底面に形成されたシャフト孔１１６にネジ結合され、このために上記ホルダーシャフト１３０の下部端外部面にはおねじ部を形成し、上記シャフト孔１１６には雌ねじ部を形成する。
【００７５】
一方、上記固定体１１０と上記反射体ホルダー１２０との間には図２乃至４に示すように、上記映像反射体(Ｍ)の水平度を上記固定体１１０上部面の基準水平度と互いに一致するように調整できるよう水平調整部１７０を具備する。
【００７６】
このような水平調整部１７０は図３と４及び図８に示すように、上記反射体ホルダー１２０の下部面に本体中央が複数個の締結部材によって固定され、左右両側端に調節孔１７３を貫通型形成した側傍突出部１７２をそれぞれ突出形成した四角板状の板スプリング１７１を備えて構成する。
【００７７】
そこで、上記板スプリング１７１は本体中央に上記反射体ホルダー１２０の下部面に突出形成された下部突出部１２６に沿って長く貫通されて上記下部突出部１２６に形成された板スプリング固定孔１２８と一致される長孔形態の固定孔１７１ａを形成することにより、上記固定孔１７１ａを通して上記反射体ホルダー１２０の板スプリング固定孔１２８に複数個の締結部材を締結して上記反射体ホルダー１２０に上記板スプリング１７１を組み立てる。
【００７８】
上記固定孔１７１ａが貫通形成される板スプリング１７１の上部面には上記磁界部１４０ａとコイル部１４０ｂが干渉なしで通過して配置されるよう複数個の第１、２開口部１７１ｂ、１７１ｃを一定大きさの円形で開口形成し、上記第１、２開口部１７１ｂ、１７１ｃの形態及び大きさは上記磁界部１４０ａとコイル部１４０ｂの横断面形状及び外径大きさによって異なるようになる。
【００７９】
そして、上記固定体１１０の内部面に互いに向い合うように突出形成された第２内部段差１１９の上部面には上記側傍突出部１７２の調節孔１７３と垂直に対応する締結孔１１８を形成し、上記調節孔１７３には上記締結孔１１８に下部端が締結される調節部材１７４を具備する。
【００８０】
この際、上記調節部材１７４には上記板スプリング１７１の突出部１７２を上方で弾力支持するコイルスプリング１７５を具備する。
【００８１】
また、上記チルティング駆動部１４０は図２と３に示すように、磁場を提供する磁界部１４０ａと電場を提供するコイル部１４０ｂから構成されて上記磁界部１４０ａの磁場と上記コイル部１４０ｂの電場間の相互作用によって上記反射体ホルダー１２０に固定されたコイル部１４０ｂを繰り返して上下作動させ上記コイル部１４０ｂと連結された反射体ホルダー１２０の映像反射体(Ｍ)を繰り返してチルティングさせるものである。
【００８２】
上記反射体ホルダー１２０の下部に配置される左右一対の磁界部１４０ａは図９ａ、ｂ、ｃに示すように、ヨーク１４１とマグネット１４２を含んで構成されるが、上記固定体１１０の底面に形成された安着溝１１７に下部端が上げられ位置固定されるヨーク１４１は上部が開放され、下部は密閉されて一定大きさの内部空間を有する円筒部材であり、上記マグネット１４２は上記ヨーク１４１の内部空間に配置されて一定強さの磁場を発生させる中共円筒形磁石部材である。
【００８３】
そこで、上記マグネット１４２は磁束が上記ヨーク１４１側により円滑に流れることができるよう上記ヨーク１４１の底面に環状で一定高さ突出形成された突出段差１４１の上部面に安着されることが好ましい。
【００８４】
そして、上記ヨーク１４１には上記マグネット１４２とヨーク間１４１の磁束流れをより円滑にできるよう上記ヨーク１４１の上部に挿入されてマグネット１４２の上部面に安着される上部ヨーク１４３を装着することが好ましい。
【００８５】
また、上記磁界部１４０ａ内に挿入されて重畳されるコイル部１４０ｂは図１０に示すように、コイル軸１４５とコイル１４６から構成されるが、上記コイル軸１４５は上記反射体ホルダ１２０の上部面に貫通形成されたコイル軸固定孔１２３に上端が組み立てされて固定される一定長さの軸部材であり、上記コイル１４６は電源印加時、上記コイル軸１４５に電場が形成できるように一定回数捲線されて電源供給部１５０と電気的に連結される。
【００８６】
そこで、上記コイル軸１４５の上端部には上記コイル軸固定孔１２３内に形成された内部段差にかかって固定されるよう本体外径より大きい外径を有する頭部１４５ａを具備することが好ましい。
【００８７】
そして、上記コイル軸１４５はチルティング駆動時、上記ヨーク１４１の底面に下部端が接せず、上記マグネット１４２の内部面に外部面が接しないよう上記ヨーク１４１の長さよりは短く、上記マグネット１４２の内径大きさよりは小さい外径を有して上記磁界部１４０ａの中心部に配置される。
【００８８】
一方、上記電源供給部１５０はコイル部１４０ｂのコイル軸１４５に捲線されたコイル１４６と電気的に連結され電源を供給できるよう上記固定体１１０の下部面に装着される基板部材に具備され得る。
【００８９】
上記電源供給部１５０には上記反射体ホルダー１２０に連結された左右一対のコイル部１４０ｂを互いに交互で上下往復運動させることと同時に上記コイル１４６に印加される電流の極性を周期的に交番させる制御部(図示せず)を具備する。
【００９０】
これにより、上記反射体ホルダー１０２の下部に配置された一側コイル部１４０ｂに両極の電流が供給されて上記コイル部１４０ｂが上昇作動される時他側コイル部に陰極の電流を供給し他側コイル部を下降作動させることにより、上記反射体ホルダー１２０に具備された映像反射体（Ｍ）は水平軸１２４に沿って形成されたチルティング中心線を基準にしてチルティングされるのである。
【００９１】
上記の構成を有するチルティングアクチュエータ１００の作動によって映像反射体(Ｍ)をチルティングさせる動作は電源供給部１５０と電気的に連結され、反射体ホルダー１２０と固定体１１０の間に左右一対で配置されたコイル部１４０ｂにそれぞれ極性が互いに異なる電流を供給する。
【００９２】
このような場合、上記反射体ホルダー１２０に上端が固定された左右一対のコイル軸１４５に一方向で巻回されたコイル１４６にはそれぞれ互いに異なる極性の電流が流れながら上記コイル軸１４５の周辺に一定強さの磁場を発生させるようになる。
【００９３】
そして、上記コイル部１４０ｂは一定強さの磁場を発生させるようにヨーク１４１とマグネット１４２からなって上記固定体１１０の底面に装着された左右一対の磁界部１４０ａ内に配置されているので、上記コイル部１４０ｂはフレミング左手法則によって一側のコイル部１４０ｂには上方で上昇される外力が発生されることに対し、反対側他側のコイル部には下方に下降される外力が発生される。
【００９４】
このような場合、上記反射体ホルダー１２０は上記固定体１１０に旋回可能に支持する水平軸１２４をチルティング中心線にして一側のコイル軸１４５が上昇され、他側のコイル軸が下降する程度に、仮想の水平線に対して例えば、時計方向で一定角度で傾くようになる。
【００９５】
これと同時に、上記反射体ホルダー１２０に一体で具備された映像反射体(Ｍ)も時計方向にチルティングされるので、デジタル反射ミラー部５０を介して映像反射体(Ｍ)側に入射される光はチルティングされた反射面に反射され光経路が転換された後、スクリーン(Ｓ)側に照査されるのである。
【００９６】
従って、上記電源供給部１５０の制御部によって左右一対のコイル部１４０ｂに供給される電流方向が予め設定された周期に合わせて交互に供給されると、上記コイル軸１４５の繰り返し上下運動がチルティング中心線を基準にして左右両側で交互に行なわれるので、上記反射体ホルダー１２０と共に映像反射体(Ｍ)のチルティングが大変早い速度で駆動されながらデジタル反射ミラー部を経て映像反射体(Ｍ)側に入射される光を映像が表示されるスクリーンに対して上下または左右方向で繰り返して転換させることができるのである。
【００９７】
すなわち、光源１０から生成された白色光は図１２に示すように、カラーフィル３０を通りながら、デジタル反射ミラー部５０に表示される映像に同期される色相の光を有するようになり、上記デジタル反射ミラー部５０に表示される映像はチルティングアクチュエータ１００の映像反射体(Ｍ)に反射された後投射レンズ６０に拡大されてスクリーン(Ｓ)に大画面の映像で表示されるのである。
【００９８】
これにより、上記チルティングアクチュエータ１００が初期位置にある時、上記スクリーン(Ｓ)に映写される映像は図１１ａに実線で示したａ映像で表示される。
【００９９】
このような状態で、上記チルティングアクチュエータ１００に供給される外部電源によってチルティング駆動部１４０の磁界部１４０ａを駆動させ反射体ホルダー１２０に上端部が連結されたコイル軸１４５を上下で繰り返し作動させると、上記反射体ホルダー１２０が所定のチルティング角度でチルティングされながら、これに具備された映像反射体(Ｍ)も微細なチルティング角度でチルティングされるので、上記スクリーン(Ｓ)に表示される映像は図１１ｂに示すようにスクリーン(Ｓ)上に微細に移動して点線で示すようにｂ映像で表示される。
【０１００】
続いて、上記チルティング駆動部１４０の周期的な繰り返し動作によって上記ａ映像とｂ映像を０．０２秒以下の短時間間隔を置き周期的に繰り返してスクリーン(Ｓ)に表示すれば、これを視聴するようになる人間の視覚機能は図１１ａ、ｂのａ映像とｂ映像が重なって見えるようになる図１１ｃのｃ組み合わせ映像の画像で認識するようになる。
【０１０１】
このような場合、上記チルティングアクチュエータ１００による映像の移動量が元の画素大きさの垂直高さ(ｐ)の半分大きさであるｐ/２である場合、上記ａ映像とｂ映像は半分画素程重なるようになり、視覚機能は大きさが半分に減った図１１ｃのｃ組み合わせ映像の画素で認識するようになる錯視現象によって映像の実質的な可視解像度が高くなるようになる。
【０１０２】
一方、上記反射体ホルダー１２０上に具備された映像反射体(Ｍ)の水平度が上記固定体１１０上部面の基準水平度と互いに一致されない場合、上記固定体１１０と上記反射体ホルダー１２０との間に具備される左右一対の水平調整部１７０を利用して上記映像反射体（Ｍ）の水平度を調節する。
【０１０３】
すなわち、上記反射体ホルダー１２０の下部面に装着された板スプリング１７１の左右両側で突き出された側傍突出部１７２中の一側側傍突出部１７１の調節孔１７３を通って上記固定体１１０の締結孔１１８に締結された調節部材１７４を締めると、上記側傍突出部１７１と固定体１１０間の上下間隔が細くなりながら上記調節部材１７４の絞り量程、上記板スプリングと共に反射体ホルダー１２０は一側に傾くようになり上記反射体ホルダー１２０上に搭載された映像反射体(Ｍ)の平坦度を基準設定値１．２μｍ以内で精密に調節することができるのである。
【０１０４】
上記調節部材１７４の絞り時、これに具備されたコイルスプリング１７５は圧縮され上記調節部材１７４の弛み時、当該する側傍突出部１７１を上方に押し上げる外力を発生させるようになる。
【０１０５】
一方、一側のコイル軸１４５が上昇され、他側に下降される変位は上記映像反射体のチルティングが常に一定に行われるように等しいべきであり、上記コイル軸１４５の上下変位量を可変させチルティング角度を変更しようとする場合には上記コイル軸１４５に捲線されるコイル１４６に印加される電流の強さを電源供給部において変化させることにより、コイル軸１４５の上下変位量を簡便に可変させ映像反射体（Ｍ）のチルティング角度を調節することができるのである。
【０１０６】
また、上記磁界部１４０ａ内に具備されるコイル部１４０ｂは上記反射体ホルダー１２０のチルティング構造上、チルティング駆動の際一側に傾くようになるが、上記マグネット１４２の内径大きさが上記反射体ホルダー１２０のチルティング角度を考慮して上記コイル部１４０ｂの最大外径大きさより十分大きく具備されるので、上記固定体１１０に位置固定された磁界部１４０ａと上記反射体ホルダー１２０に固定されたコイル部１４０ｂ間の接触を防止することができるのである。
【０１０７】
本発明は特定の実施例に関して図示し説明されたが、特許請求範囲によって備えられる本発明の精神や分野に外れない限度内で、本発明が多様に改造及び変化され得るかを、当業界で通常の知識を有した者であれば、容易に分かることを明らかにする。
【図面の簡単な説明】
【０１０８】
【図１】本発明によるチルティング部材を示す分解斜視図である。
【図２】本発明によるチルティングアクチュエータを示す全体斜視図である。
【図３】本発明によるチルティングアクチュエータの固定体のみを部分切開して下部からみた斜視図である。
【図４】本発明によるチルティングアクチュエータの固定体のみを部分切開して上部からみた斜視図である。
【図５】本発明によるチルティングアクチュエータに採用される固定体を示す平面図である。
【図６】本発明によるチルティングアクチュエータに採用される反射体ホルダーを示したものであって、ａは平面図であり、ｂは正面図であり、ｃは側面図である。
【図７】本発明によるチルティングアクチュエータに採用されるホルダーシャフトの斜視図である。
【図８】本発明によるチルティングアクチュエータに採用される板スプリングの斜視図である。
【図９】本発明によるチルティングアクチュエータに採用される磁界部を示すものであって、ａはヨークの斜視図であり、ｂはマグネットの斜視図であり、ｃは上部ヨークの斜視図である。
【図１０】本発明によるチルティングアクチュエータに採用されるコイル部の斜視図である。
【図１１】図１１ａ、ｂ、ｃは本発明によるチルティングアクチュエータによってチィルティングされスクリーンに表示される映像を示す概略図である。
【図１２】デジタル反射ミラー部を採用した大型映像機器を示す構成図である。
【符号の説明】
【０１０９】
１１０   固定体
１１２   第１内部段差
１１３   軸支持部
１１４    軸溝
１１９   第２内部段差
１２０   反射体ホルダー
１２１    反射体支持部
１２４   水平軸
１２５    軸離脱防止部
１２６   下部突出部
１２７    接触溝
１３０   ホルダーシャフト
１３１    円筒部材
１４０   チルティング駆動部
１４０ａ  磁界部
１４１   ヨーク
１４２    磁石部材
１４０ｂ コイル部
１４５    コイル軸
１５０   電源供給部
１７０    水平調整部
【図１】
2006235582.tif 000003
【図２】
2006235582.tif 000004
【図３】
2006235582.tif 000005
【図４】
2006235582.tif 000006
【図５】
2006235582.tif 000007
【図６】
2006235582.tif 000008
【図７】
2006235582.tif 000009
【図８】
2006235582.tif 000010
【図９】
2006235582.tif 000011
【図１０】
2006235582.tif 000012
【図１１】
2006235582.tif 000013
【図１２】
2006235582.tif 000014